(57)【要約】      （修正有）【課題】接着剤、ステープル或いは粘着テープ等を使用せずに簡単な操作で容易に組み立て可能で、しかもフラップの係合を確実に維持することが出来るようにする。【解決手段】包装用箱は、上外フラップ６、６の一部に、折線１０、１０から下方に折れ曲がる凸字形状の係止片８、８を切り出し、上内フラップ７、７の一部に、折線１３、１３から下方に折れ曲がる凸字形状の押え片９、９を切り出している。これら係止片８、８と押え片９、９とは、上内フラップ７、７と上外フラップ６、６とが箱の上面で重ねられたとき、それらの凸字形状が互いに重なる。係止片８、８は、先の先端部１１、１１の幅が広く、前記押え片９、９の基部１４、１４は、前記係止片８、８の先端部１１、１１より幅が広く、前記押え片９、９の先端部１５、１５は、前記係止片８、８の基部１２、１２より幅が広く、且つその先の先端部１１、１１より幅が狭い。【選択図】    図１
2004359273.tif 000002
【特許請求の範囲】
【請求項１】
内部に収納物を収納する箱であって、その対向する一対の側面を構成する側パネル（１）、（１）と、箱の対向する一対の端面を構成する端パネル（２）、（２）とが折線を介して交互に連なり、最も端の側パネル（１）と端パネル（２）の側辺が互いに接合され、側パネル（１）、（１）と端パネル（２）、（２）の上辺の折線から箱の上面を閉じる上外フラップ（６）、（６）と上内フラップ（７）、（７）とがそれぞれ延設され、上内フラップ（７）、（７）を箱の内側に折り曲げた後、その外側に上外フラップ（６）、（６）を折り曲げて重ねて箱の上面を閉じる包装用箱において、上外フラップ（６）、（６）の一部に、折線（１０）、（１０）から下方に折れ曲がる凸字形状の係止片（８）、（８）を切り出し、上内フラップ（７）、（７）の一部に、折線（１３）、（１３）から下方に折れ曲がる凸字形状の押え片（９）、（９）を切り出し、これら係止片（８）、（８）と押え片（９）、（９）とは、上内フラップ（７）、（７）と上外フラップ（６）、（６）とが順次箱の上面で重ねられたとき、凸字形状が互いに重なるように設けられ、前記係止片（８）、（８）は、折線（１０）、（１０）側の基部（１２）、（１２）よりその先の先端部（１１）、（１１）の幅が広く、前記押え片（９）、（９）の折線（１３）、（１３）側の基部（１４）、（１４）は、前記係止片（８）、（８）の先端部（１１）、（１１）より幅が広く、前記押え片（９）、（９）の先端部（１５）、（１５）は、前記係止片（８）、（８）の折線（１０）側の基部（１２）、（１２）より幅が広く、且つその先の先端部（１１）、（１１）より幅が狭いことを特徴とする包装用箱。
【発明の詳細な説明】
【０００１】
【発明の属する技術分野】
本発明は、段ボール板等のブランクを折り曲げて作る箱状の包装用箱に関し、特に折り畳んだ状態から接着剤、ステープル或いは粘着テープ等を使用せずに簡単に箱状の容器を組み立てることができ、また箱状の容器から収納物を取り出した後は、簡単に二重に折り畳むことができ、そのため通い箱等として利用して好適な包装用箱に関する。
【０００２】
【従来の技術】
従来最も一般的な包装容器の一つとして、段ボール板等のブランクを折り曲げて作る箱状の包装用箱がある。例えば、ブランクを縦に平行な４本の折れ線で同じ方向に順次折り曲げ、その両端縁を接着やステープル止めすることにより、四角筒状の胴部を形成し、この胴部の下辺から延設した底フラップを内側に折り曲げて箱の下面と閉じ、胴部の上辺から延設した上フラップを内側に折り曲げて箱の上面を閉じる。
【０００３】
このような包装用箱では、箱の底面を閉じた状態で箱の内部に収納物を収納し、その後箱の上面を閉じる。箱の底面は、接着剤、ステープル或いは粘着テープ等を使用して収納物の重量に耐えることができるようにしっかりと閉じる。また、上面は搬送中に簡単に開かないようにやはり前記の接着剤、ステープル、粘着テープ或いは他の適宜の手段によって閉じる。
【０００４】
大半の段ボール箱は、収納物である物品を搬送した後、収納先で分解され、廃棄されるかまたはリサイクル業者に回収される。今日、段ボールのリサイクル化が図られると共に、古紙原紙の価格が比較的高値に推移している経済的背景もあって、リサイクルされる段ボール箱の割合は、８０％を越えており、相当の割合の使用済み段ボール箱がリサイクルされている。しかしなおリサイクル率は１００％には至っていない。
【０００５】
段ボール箱のブランクとなる段ボール板は、木材パルプから作られる紙を使用した製品であり、さらにその省資源化が要請されている。段ボールのリサイクルには、リサイクル工場等の設備を必要とし、その設備によるリサイクル処理を要するため、リサイクルコストの低減が課題となる。
【０００６】
段ボール箱の省資源化のために古くから用いられている形態として、いわゆる通い箱がある。これは、段ボール箱を収納物の搬送元とその搬送先とで往復して繰り返す使用する形態である。この通い箱は、物品を取り出した後の段ボール箱の保管や送り返す時の収納効率や搬送効率を高めるため、空の段ボール箱を容易に折り畳めるようにすることが必要である。
【０００７】
いわゆる通い箱において最も問題となる課題が箱を閉じる手段である。前述のように、段ボール箱では、一般的にフラップを接着剤、ステープル或いは粘着テープ等で連結する手段がとられる。しかし、接着剤、ステープル或いは粘着テープでフラップを止める手段では、段ボール箱を開封し、折り畳む度に接着剤、ステープル或いは粘着テープを取った部分が劣化し、次第にフラップの縁の強度が低下するという問題がある。
【０００８】
そこで、通い箱では、接着剤、ステープル或いは粘着テープを使わず、箱のフラップに連結機能を持たせ、これを係合したり解除したりして箱を開閉する手段がとられている。このようにフラップに連結機能を持たせ、これを係合したり解除したりして箱を開閉するようにした箱は従来も多くのものが提案され、開発されている。
【０００９】
【発明が解決しようとしている課題】
しかし、この種の包装用箱は、箱の上面等を閉じるフラップを係合したり、その係合を解除する手順が複雑なものが多く、手際よく箱の開閉を行うのに或る程度の慣れが必要である。また、慣れても箱の上面を閉じる作業時間を短くするには限度がある。野菜や果物等の青果物の出荷場では、多量の箱を取り扱うことが多く、出来るだけ簡単に開閉出来る包装用箱が望まれている。
一方で、簡単にフラップの係合が行えても、簡単にその係合が外れてしまうと、搬送時に箱が開いてしまう等の不都合が生じる。
【００１０】
本発明は、前記のような従来の段ボール箱等の包装用箱の課題に鑑み、通い箱等として接着剤、ステープル或いは粘着テープ等を使用せずに簡単な操作で容易に組み立てることが可能で、しかもフラップの係合を確実に維持することが可能な包装用箱を提供することを目的とする。
【００１１】
【課題を解決するための手段】
本発明では、前記の目的を達成するため、上外フラップ６、６に切り出した凸字形状の係止片８、８を折線１０、１０から下方に折れ曲げ、これを上内フラップ７、７に切り出した押え片９、９の下に差し込むことにより、押え片９、９が前記の係止片８、８の上になって、係止片８、８の折れが戻るのを防止し。その係止片８、８が押え片９、９を切り出した跡の幅の狭いスリット部分にしっかりと係合されるようにした。
【００１２】
より具体的に説明すると、本発明が適用される包装用箱は、内部に収納物を収納する箱であって、その対向する一対の側面を構成する側パネル１、１と、箱の対向する一対の端面を構成する端パネル２、２とが折線を介して交互に連なり、最も端の側パネル１と端パネル２の側辺が互いに接合され、側パネル１、１と端パネル２、２の上辺の折線から箱の上面を閉じる上外フラップ６、６と上内フラップ７、７とがそれぞれ延設され、上内フラップ７、７を箱の内側に折り曲げた後、その外側に上外フラップ６、６を折り曲げて重ねて箱の上面を閉じる包装用箱である。
【００１３】
本発明でこのような包装用箱において、上外フラップ６、６の一部に、折線１０、１０から下方に折れ曲がる凸字形状の係止片８、８を切り出し、上内フラップ７、７の一部に、折線１３、１３から下方に折れ曲がる凸字形状の押え片９、９を切り出し、これら係止片８、８と押え片９、９とは、上内フラップ７、７と上外フラップ６、６とが箱の上面で重ねられたとき、それらの凸字形状が互いに重なるように設けられ、前記係止片８、８は、折線１０、１０側の基部１２、１２よりその先の先端部１１、１１の幅が広く、前記押え片９、９の折線１３、１３側の基部１４、１４は、前記係止片８、８の先端部１１、１１より幅が広く、前記押え片９、９の先端部１５、１５は、前記係止片８、８の折線１０側の基部１２、１２より幅が広く、且つその先の先端部１１、１１より幅が狭いものである。
【００１４】
このような本発明による包装用箱では、係止片８、８と押え片９、９とが上内フラップ７、７と上外フラップ６、６とが重ねられたとき、それらの凸字形状が互いに重なるように設けられ、前記係止片８、８は、基部１２、１２より先端部１１、１１の幅が広く、前記押え片９、９の基部１４、１４は、前記係止片８、８の先端部１１、１１より幅が広くなっているため、係止片８、８をその折線１０、１０から下方に折り曲げると、押え片９、９もその折線１３、１３から下方に折れ曲がる。そして、係止片８、８をその折線１０、１０から９０゜近くに折り曲げると、係止片８、８の基部１２、１２側が、上内フラップ７の押え片９、９の先端部１５、１５の跡のスリット状の部分に係合する。それと共に、押え片９、９が係止片８、８から離れ、その弾力により途中まで折れ返り、その先端部１５、１５が係止片８、８に当たる。これにより押え片９、９が係止片８、８を押さえるため、係止片８、８の折れ戻りが防止される。これにより、係止片８、８の係合状態が維持される。このような係合状態は、係止片８、８を指等で押し下げる動作だけで実現するため、容易に箱の封止が可能となる。
【００１５】
【発明の実施の形態】
次に、図面を参照しながら、本発明の実施の形態について、具体的且つ詳細に説明する。
図１は、本発明の一実施形態による一般的な包装用箱の本体のブランクの展開図である。この包装用箱のブランクは紙製の波状のシートからなる中芯をライナーでラミネートした段ボール板を使用する。段ボール板を図１に実線で示すように打ち抜くと共に、破線で示すように折れ線を入れることにより、組み立て前のブランクが出来上がる。
【００１６】
図１に示す包装用箱のブランクでは、矩形の側パネル１、１と端パネル２、２とが折れ線を介して交互に連なっている。それら側パネル１、１と端パネル２、２の高さは何れも同じであり、２つの側パネル１、１と端パネル２、２の幅はそれぞれ等しく、側パネル１、１と端パネル２、２とでは幅が異なっている。側パネル１、１と端パネル２、２の高さと幅は、その用途や収納物の大きさ等に応じて異なることは言うまでもない。
【００１７】
端にある側パネル１の側辺からは、折れ線を介して接合フラップ３が延設されており、端にある端パネル２には、そのような接合フラップは延設されていない。
側パネル１、１の下辺の折線からは、底外フラップ４、４が延設されている。この底外フラップ４、４の長さ（図１において左右の寸法）は、側パネル１、１の幅より若干狭く、またその高さ（図１において上下の寸法）は、端パネル２の幅の約１／２である。
【００１８】
端パネル２、２の下辺の折れ線からは底内フラップ５、５が延設されている。この底内フラップ５、５の長さ（図１において左右の寸法）は、端パネル２、２の幅より若干狭く、またその高さ（図１において上下の寸法）は、前記底外フラップ４、４と同じである。
【００１９】
側パネル１、１の上辺の折線からは、上外フラップ６、６が延設されている。この上外フラップ６、６の長さ（図１において左右の寸法）は、側パネル１、１の幅より若干狭い。また上外フラップ６、６の中間部の高さ（図１において上下の寸法）は、端フラップ２、２の幅の約１／２である。また、上外フラップ６、６の両側部の高さ（図１において上下の寸法）は、その中間部より低くなっている。
【００２０】
端パネル２、２の上辺の折線からは、上内フラップ７、７が延設されている。この上内フラップ７、７の長さ（図１において左右の寸法）は、端パネル２、２の幅より若干狭く、またその高さ（図１において上下の寸法）は、前記外上フラップ６、６と同じである。
【００２１】
上外フラップ６、６の両側には、上外フラップ６、６の縦方向（図１において上下方向）の中心線に対して対称に一対の係止片８、８が切り出されている。この係止片８、８は、図１において上側、すなわち箱として組み立てた時に内側になる方に上外フラップ６、６の本体部分と一体に連なる折線１０、１０を有し、その他の部分は上外フラップ６、６の本体部分に対して切断されている。その形状は、幅の異なる２つの部分からなる凸字形状である。図１において上側の部分、すなわち箱として組み立てた時に内側になる折線１０、１０側の部分が基部１２で、その先の下方の部分、つまり箱として組み立てた時に外側になる折線１０、１０から遠い部分が先端部１１となっている。この先端部１１の幅（図１において左右方向の寸法）は、基部１２より広い。
【００２２】
上内フラップ７、７の両側には、上内フラップ７、７の縦方向（図１において上下方向）の中心線に対して対称に一対の押え片９、９が切り出されている。この押え片９、９は、図１において互いに外側に向いた側、すなわち箱として組み立てた時に外側に向く側に上内フラップ７、７の本体部分と一体に連なる折線１３、１３を有し、その他の部分は上内フラップ７、７の本体部分に対して切断されている。その形状は、前記係止片８、８と同様に、幅の異なる２つの部分からなる凸字形状である。図１において両側の部分、すなわち箱として組み立てた時に外側になる折線１３、１３側の部分が基部１４で、その先の互いに向かい合った部分、つまり箱として組み立てた時に内側になる折線１３、１３から遠い部分が先端部１５となっている。但し、先端部１５より基部１４の方が幅が広い点で前記係止片異なっている。すなわち、この先端部１５の幅（図１において上下方向の寸法）は、基部１４より狭い。
【００２３】
図２は、前記上外フラップ６の係止片８と上内フラップ７の押え片９との寸法を示す図である。係止片８の基部１２の高さ（図２において上下の寸法）と押え片９の先端部１５の高さ（図２において左右の寸法）はほぼ等しく、前記ブランクを構成する段ボール板の厚さ２枚分よりやや大きい。
【００２４】
次に、係止片８の各部と押え片９の各部の幅の関係であるが、係止片８の基部１２の幅ａは、押え片９の先端部１５の幅ａ’よりやや狭い。また、係止片８の先端部１１の高さと押え片９の基部１４の高さはほぼ等しい。また、係止片８の先端部１１の幅ｂは、押え片９の基部１４の幅ｂ’よりやや狭く、前記押え片９の先端部の幅ａ’より十分広い。
【００２５】
図３は、箱の上面を閉じるため、上内フラップ７、上外フラップ６の順に順次それらの折線から箱の内側上面に折り曲げ、重ね合わせた時の前記係止片８と押え片９との位置関係を示す図である。分かりやすいように、上内フラップ７から上外フラップ６を上に離して示しているため、実際に有り得る状態の図ではない。
この図３から明らか通り、上内フラップ７の係止片８と上外フラップ６の押え片９とはそれらの凸字形状が互いに重なり合う。具体的には、係止片８の基部１１が押え片９の先端部１４と重なり、係止片８の先端部１２が押え片９の基部１５と重なる。
【００２６】
このようなブランクから包装用箱は次のようにして組み立てられる。
まず、側パネル１、１、端パネル２、２及び接合フラップ３の間にある折線を何れも９０゜の角度で同じ方向に折り曲げる。さらに、接合フラップ３の外側面に糊を塗布し、この接合フラップ３の外側面を端パネル２の端縁部の内面に貼り付ける。これにより、側パネル１、１と端パネル２、２とで四角筒状の胴部が形成される。
【００２７】
次に、このようにして側パネル１、１と端パネル２、２とで四角筒状の胴部が形成された後、箱の底面を閉じる。底外フラップ４、４と底内フラップ５、５箱をどのようにして閉じて固定するかは特に限定されない。最も一般的には、底内フラップ５、５、底外フラップ４、４の順序でそれらの折線に沿って箱の底面内側に折り曲げ、それらの底内フラップ５、５、底外フラップ４、４をステープル、接着剤、粘着テープ等の固定する。
【００２８】
次に、箱を反転してその上面側を上に向ける。この状態で、開いた箱の上面から収納物を収納する。次に、箱の上面を閉じる。
まず図４に示すようにして、上内フラップ７、７を箱の上面側に約９０゜の角度で折り曲げる。次に、図５に示すように、上外フラップ６、６を箱の上面側に約９０゜の角度で折り曲げ、その両側部分を上内フラップ７、７の上に重ねる。
【００２９】
既に述べた通り、このように上外フラップ６、６を上内フラップ７、７の上に重ねると、上内フラップ７、７の押え片９、９と上外フラップ６、６の係止片８、８とが上下に重なり合う。この状態で、図６に示すように、係止片８、８を指等で押し下げ、係止片８、８をその折線１０、１０から下方に折り曲げると、係止片８、８はその下の押え片９、９も押し下げるので、図７（ａ）に示すようにして押え片９、９も同時にその折線１３、１３から下方に折れ曲がる。そして、図７（ｂ）に示すように係止片８、８をその折線１０、１０から９０゜近くに折り曲げると、係止片８、８の基部１２、１２側が、上内フラップ７の押え片９、９の先端部１５、１５が有った跡のスリットの部分に係合する。それと共に、押え片９、９が係止片８、８から離れ、その弾力により途中まで折れ戻る。これにより、押え片９、９の先端部１５、１５が係止片８、８に当たって、係止片８、８を押さえる。このため、係止片８、８の折れ戻りが防止される。これにより、係止片８、８の係合状態が維持される。この状態を図７（ｂ）と図８に示す。
【００３０】
【発明の効果】
以上説明した通り、本発明による包装用箱では、接着剤、ステープル或いは粘着テープ等を使用せずに簡単な動作で容易に組み立てることが可能で、しかも押え片９、９が係合片８、８を押さえてその係合状態を維持するため、上面を閉じた状態を確実に維持することが出来る。特に、上内フラップ７、７と上外フラップ６、６との封止が係止片８、８を指等で押し下げるだけで可能であるため、誰でも素早く上内フラップ７、７と上外フラップ６、６との封止が可能となる。
【図面の簡単な説明】
【図１】本発明による包装用箱の一実施形態を示すもので、包装用箱を組み立てるため段ボール等を裁断し、折れ線を入れた状態のブランクの展開図である。
【図２】同包装容器の実施形態において、上外フラップの係止片と上内フラップの押え片との寸法を示す要部拡大平面図である。
【図３】同包装容器の実施形態において、上外フラップと上内フラップとを重ねたときの上外フラップの係止片と上内フラップの押え片との位置関係を上外フラップと上内フラップを上下に分離して示した斜視図である。
【図４】前記包装容器の実施形態において、箱の上面を閉じるため、双方の上内フラップを箱の上面側に倒した状態の上面側から見た斜視図である。
【図５】同包装容器の実施形態において、図４の状態からさらに一方の上外フラップを箱の上面側に倒し、その差し込みフラップを上内フラップのスリットに差し込んだ状態の上面側から見た斜視図である。
【図６】同包装容器の実施形態において、上外フラップの係止片を押し下げる状態を示す要部拡大斜視図である。
【図７】同包装容器の実施形態において、上外フラップの係止片を押し下げ途中と押し下げが完了した状態を示す要部拡大斜視図である。
【図８】図７のＡ−Ａ線拡大断面図である。
【符号の説明】
１    側パネル
２    端パネル
６    上外フラップ
７    上内フラップ
８    係止片
９    押え片
１０  係止片の折線
１１  係止片の先端部
１２  係止片の基部
１３  押え片の折線
１４  押え片の基部
１５  押え片の先端部
【図１】
2004359273.tif 000003
【図２】
2004359273.tif 000004
【図３】
2004359273.tif 000005
【図４】
2004359273.tif 000006
【図５】
2004359273.tif 000007
【図６】
2004359273.tif 000008
【図７】
2004359273.tif 000009
【図８】
2004359273.tif 000010